(57)【要約】【課題】本発明は防塵モニターを開示した。【解決手段】モニターと前記モニターに設置されるスクリーンとを含み、前記モニターの下側には支持枠が設置され、前記モニターの中には前方に開口している主チャンバが設置され、前記主チャンバの頂壁の中には上スライド溝が設置され、本発明の構造が簡単で、操作が便利で、モニターの使用が終了した後に、本発明は自動的にスクリーンを拭うことができ、スクリーンの上のほこりを除去し、払拭が終了した後に、一層の防塵布を利用してスクリーンを密封して、防塵モニターが使わない時に塵埃が積もって画像の表示が歪むことを防止し、作業効率を大幅に向上させる。【選択図】図１
2020181175.tif 000002
【特許請求の範囲】
【請求項１】
モニターと前記モニターに設置されるスクリーンとを含み、前記モニターの下側には支持枠が設置され、前記モニターの中には前方に開口している主チャンバが設置され、前記主チャンバの頂壁の中には上スライド溝が設置され、前記上スライド溝の中には上突出ブロックがスライドできるように設置され、前記主チャンバの底壁には下スライド溝が設置され、前記下スライド溝の中にはガイドブロックが設置され、前記ガイドブロックの上端面にはガイド溝が設置され、前記主チャンバの底壁には前記ガイド溝と連通している連通溝が設置され、前記ガイド溝の中には下突出ブロックがスライドできるように設置され、前記下突出ブロックと前記ガイド溝の左端面との間がリセットバネにより連結され、前記下スライド溝の左右壁の間には親ねじが回転できるように設置され、前記親ねじが前記ガイドブロックを貫通しており、且つ前記ガイドブロックとねじ山により連結され、前記上突出ブロックの下端面と前記下突出ブロックの上端面との間には固定ロッドが固定的に設置され、前記固定ロッドには塵埃除去板が固定的に設置され、前記塵埃除去板の後端面には払拭部が固定的に設置され、前記払拭部が弾性材料であり、前記上スライド溝の中には前記上突出ブロックの後端面と当接している駆動板がスライドできるように設置され、モニターの使用が終了した後に、前記駆動板が前方に運動し前記上突出ブロックと、前記固定ロッドにより前記塵埃除去板を前に前記主チャンバの前端の開口の外部に突出連動させ、且つ前記払拭部の後側端面を前記スクリーンの前端面の後側に位置させ、前記親ねじが回転し前記ガイドブロックを平行移動連動させ、前記払拭部が弾性材料であるため、前記払拭部が前記スクリーンの位置に到達する時に前記スクリーンと十分に密着して塵埃を除去できることを特徴とする防塵モニター。
【請求項２】
前記モニターの中には副チャンバが設置され、前記塵埃除去板が前記副チャンバの中までに運動でき、前記主チャンバの上下壁の間には回転軸が回転できるように設置され、前記回転軸には防塵布が周設され、前記防塵布の片端が前記塵埃除去板の左端面に固定的に連結され、前記回転軸と前記主チャンバの頂壁の間にはねじりバネが連結され、前記塵埃除去板が前記副チャンバの中まで運動する時に前記防塵布を引きスクリーンに対し閉鎖防塵を行うことを特徴とする請求項１に記載の防塵モニター。
【請求項３】
前記主チャンバの後壁にはエアポンプが固定的に設置され、前記エアポンプの前端にはシリンダが設置され、前記シリンダと前記駆動板の後端面とが連結され、前記下スライド溝の右壁の中にはモーターが設置され、前記モーターと前記親ねじとが伝動できるように連結され、前記モニターの中には上下に対称している収納チャンバが設置され、前記収納チャンバの中には中間板がスライドできるように設置され、上側にある前記中間板の下端面と前記駆動板とが連結され、上下にある前記中間板の前端面には閉塞板が左右に対称的に固定的に連結され、左側にある前記閉塞板が前記主チャンバを閉塞しており、右側にある前記閉塞板が前記副チャンバを閉塞していることを特徴とする請求項１に記載の防塵モニター。
【請求項４】
前記主チャンバの後壁には貯液タンクが設置され、前記貯液タンクの中には洗浄液チャンバが設置され、前記洗浄液チャンバの内壁には液充填弁が設置され、前記貯液タンクの外表面には前記洗浄液チャンバと連通しているノズルが固定的に設置され、前記洗浄液チャンバの中には押圧ブロックがスライドできるように設置され、前記押圧ブロックの後端面と前記洗浄液チャンバの後壁との間にはバネが連結され、前記洗浄液チャンバの中には洗浄液が内蔵され、前記エアポンプと前記洗浄液チャンバとが吸気管により連通しており、前記吸気管の中には逆止弁が設置され、前記エアポンプが起動する時に、気体が前記吸気管により前記押圧ブロックの後側に入って前記押圧ブロックを前方に突き上げ、それにより前記洗浄液チャンバの中にある洗浄液を押し出し、洗浄液にノズルを通させ前記払拭部に噴射させ、それによりより良い洗浄効果を達成することを特徴とする請求項１に記載の防塵モニター。
【発明の詳細な説明】
【技術分野】
【０００１】
本発明はコンピュータ用品技術分野を取り上げて、具体的には防塵モニターである。
【背景技術】
【０００２】
モニターは作業する時に静電気が発生し、空気中の摩擦によって埃も静電気が発生するので、使用時にはスクリーンに埃が付着しやすく、使用しない時にはモニターのスクリーンが環境に露出し、埃もだんだんスクリーンに付着し、画面の鮮明さに影響し、上記の不足に対して、本装置が提案されている。
【先行技術文献】
【特許文献】
【０００３】
【特許文献１】中国特許出願公開第１０５１８３０８８号明細書
【発明の概要】
【発明が解決しようとする課題】
【０００４】
本発明の目的は防塵モニターを提供し、現有の技術の上記欠点を克服できる。
【課題を解決するための手段】
【０００５】
本発明の防塵モニターは、モニターと前記モニターに設置されるスクリーンとを含み、前記モニターの下側には支持枠が設置され、前記モニターの中には前方に開口している主チャンバが設置され、前記主チャンバの頂壁の中には上スライド溝が設置され、前記上スライド溝の中には上突出ブロックがスライドできるように設置され、前記主チャンバの底壁には下スライド溝が設置され、前記下スライド溝の中にはガイドブロックが設置され、前記ガイドブロックの上端面にはガイド溝が設置され、前記主チャンバの底壁には前記ガイド溝と連通している連通溝が設置され、前記ガイド溝の中には下突出ブロックがスライドできるように設置され、前記下突出ブロックと前記ガイド溝の左端面との間がリセットバネにより連結され、前記下スライド溝の左右壁の間には親ねじが回転できるように設置され、前記親ねじが前記ガイドブロックを貫通しており、且つ前記ガイドブロックとねじ山により連結され、前記上突出ブロックの下端面と前記下突出ブロックの上端面との間には固定ロッドが固定的に設置され、前記固定ロッドには塵埃除去板が固定的に設置され、前記塵埃除去板の後端面には払拭部が固定的に設置され、前記払拭部が弾性材料であり、前記上スライド溝の中には前記上突出ブロックの後端面と当接している駆動板がスライドできるように設置され、モニターの使用が終了した後に、前記駆動板が前方に運動し前記上突出ブロックと、前記固定ロッドにより前記塵埃除去板を前に前記主チャンバの前端の開口の外部に突出連動させ、且つ前記払拭部の後側端面を前記スクリーンの前端面の後側に位置させ、前記親ねじが回転し前記ガイドブロックを平行移動連動させ、前記払拭部が弾性材料であるため、前記払拭部が前記スクリーンの位置に到達する時に前記スクリーンと十分に密着して塵埃を除去できる。
【０００６】
更なる技術方案、前記モニターの中には副チャンバが設置され、前記塵埃除去板が前記副チャンバの中までに運動でき、前記主チャンバの上下壁の間には回転軸が回転できるように設置され、前記回転軸には防塵布が周設され、前記防塵布の片端が前記塵埃除去板の左端面に固定的に連結され、前記回転軸と前記主チャンバの頂壁の間にはねじりバネが連結され、前記塵埃除去板が前記副チャンバの中まで運動する時に前記防塵布を引きスクリーンに対し閉鎖防塵を行う。
【０００７】
更なる技術方案、前記主チャンバの後壁にはエアポンプが固定的に設置され、前記エアポンプの前端にはシリンダが設置され、前記シリンダと前記駆動板の後端面とが連結され、前記下スライド溝の右壁の中にはモーターが設置され、前記モーターと前記親ねじとが伝動できるように連結され、前記モニターの中には上下に対称している収納チャンバが設置され、前記収納チャンバの中には中間板がスライドできるように設置され、上側にある前記中間板の下端面と前記駆動板とが連結され、上下にある前記中間板の前端面には閉塞板が左右に対称的に固定的に連結され、左側にある前記閉塞板が前記主チャンバを閉塞しており、右側にある前記閉塞板が前記副チャンバを閉塞している。
【０００８】
更なる技術方案、前記主チャンバの後壁には貯液タンクが設置され、前記貯液タンクの中には洗浄液チャンバが設置され、前記洗浄液チャンバの内壁には液充填弁が設置され、前記貯液タンクの外表面には前記洗浄液チャンバと連通しているノズルが固定的に設置され、前記洗浄液チャンバの中には押圧ブロックがスライドできるように設置され、前記押圧ブロックの後端面と前記洗浄液チャンバの後壁との間にはバネが連結され、前記洗浄液チャンバの中には洗浄液が内蔵され、前記エアポンプと前記洗浄液チャンバとが吸気管により連通しており、前記吸気管の中には逆止弁が設置され、前記エアポンプが起動する時に、気体が前記吸気管により前記押圧ブロックの後側に入って前記押圧ブロックを前方に突き上げ、それにより前記洗浄液チャンバの中にある洗浄液を押し出し、洗浄液にノズルを通させ前記払拭部に噴射させ、それによりより良い洗浄効果を達成する。
【発明の効果】
【０００９】
以上より、本発明の構造が簡単で、操作が便利で、モニターの使用が終了した後に、本発明は自動的にスクリーンを拭うことができ、スクリーンの上のほこりを除去し、払拭が終了した後に、一層の防塵布を利用してスクリーンを密封して、防塵モニターが使わない時に塵埃が積もって画像の表示が歪むことを防止し、作業効率を大幅に向上させる。
【図面の簡単な説明】
【００１０】
以下は図１−３について本発明にを詳しく説明し、その中、便利に叙述するように、後文に出る方位を下記の通りに規定する：後文に出る上下左右前後方向は図１本体の投影関係の上下左右前後方向と一致する。
【００１１】
【図１】図１は本発明の防塵モニターの全体構造模式図
【図２】図２は図１のＡ−Ａの構造模式図
【図３】図３は図１のＢ−Ｂの構造模式図
【発明を実施するための形態】
【００１２】
下記に付図と実施例に合わせて本発明を更に説明し、本発明の方式は以下の実施例に限らない。
【００１３】
図１−３に示すように、本発明の防塵モニターは、モニター１０と前記モニター１０に設置されるスクリーン１８とを含み、前記モニター１０の下側には支持枠２２が設置され、前記モニター１０の中には前方に開口している主チャンバ１１が設置され、前記主チャンバ１１の頂壁の中には上スライド溝１７が設置され、前記上スライド溝１７の中には上突出ブロック１４がスライドできるように設置され、前記主チャンバ１１の底壁には下スライド溝２３が設置され、前記下スライド溝２３の中にはガイドブロック２５が設置され、前記ガイドブロック２５の上端面にはガイド溝３０が設置され、前記主チャンバ１１の底壁には前記ガイド溝３０と連通している連通溝４５が設置され、前記ガイド溝３０の中には下突出ブロック２６がスライドできるように設置され、前記下突出ブロック２６と前記ガイド溝３０の左端面との間がリセットバネ３１により連結され、前記下スライド溝２３の左右壁の間には親ねじ２４が回転できるように設置され、前記親ねじ２４が前記ガイドブロック２５を貫通しており、且つ前記ガイドブロック２５とねじ山により連結され、前記上突出ブロック１４の下端面と前記下突出ブロック２６の上端面との間には固定ロッド１３が固定的に設置され、前記固定ロッド１３には塵埃除去板１２が固定的に設置され、前記塵埃除去板１２の後端面には払拭部３２が固定的に設置され、前記払拭部３２が弾性材料であり、前記上スライド溝１７の中には前記上突出ブロック１４の後端面と当接している駆動板２７がスライドできるように設置され、モニターの使用が終了した後に、前記駆動板２７が前方に運動し前記上突出ブロック１４と、前記固定ロッド１３により前記塵埃除去板１２を前に前記主チャンバ１１の前端の開口の外部に突出連動させ、且つ前記払拭部３２の後側端面を前記スクリーン１８の前端面の後側に位置させ、前記親ねじ２４が回転し前記ガイドブロック２５を平行移動連動させ、前記払拭部３２が弾性材料であるため、前記払拭部３２が前記スクリーン１８の位置に到達する時に前記スクリーン１８と十分に密着して塵埃を除去できる。
【００１４】
有益的に、前記モニター１０の中には副チャンバ１９が設置され、前記塵埃除去板１２が前記副チャンバ１９の中までに運動でき、前記主チャンバ１１の上下壁の間には回転軸３５が回転できるように設置され、前記回転軸３５には防塵布３６が周設され、前記防塵布３６の片端が前記塵埃除去板１２の左端面に固定的に連結され、前記回転軸３５と前記主チャンバ１１の頂壁の間にはねじりバネ３４が連結され、前記塵埃除去板１２が前記副チャンバ１９の中まで運動する時に前記防塵布３６を引きスクリーン１８に対し閉鎖防塵を行う。
【００１５】
有益的に、前記主チャンバ１１の後壁にはエアポンプ２９が固定的に設置され、前記エアポンプ２９の前端にはシリンダ２８が設置され、前記シリンダ２８と前記駆動板２７の後端面とが連結され、前記下スライド溝２３の右壁の中にはモーター２０が設置され、前記モーター２０と前記親ねじ２４とが伝動できるように連結され、前記モニター１０の中には上下に対称している収納チャンバ１５が設置され、前記収納チャンバ１５の中には中間板１６がスライドできるように設置され、上側にある前記中間板１６の下端面と前記駆動板２７とが連結され、上下にある前記中間板１６の前端面には閉塞板３３が左右に対称的に固定的に連結され、左側にある前記閉塞板３３が前記主チャンバ１１を閉塞しており、右側にある前記閉塞板３３が前記副チャンバ１９を閉塞している。
【００１６】
有益的に、前記主チャンバ１１の後壁には貯液タンク４４が設置され、前記貯液タンク４４の中には洗浄液チャンバ４１が設置され、前記洗浄液チャンバ４１の内壁には液充填弁４２が設置され、前記貯液タンク４４の外表面には前記洗浄液チャンバ４１と連通しているノズル４３が固定的に設置され、前記洗浄液チャンバ４１の中には押圧ブロック４０がスライドできるように設置され、前記押圧ブロック４０の後端面と前記洗浄液チャンバ４１の後壁との間にはバネ３８が連結され、前記洗浄液チャンバ４１の中には洗浄液が内蔵され、前記エアポンプ２９と前記洗浄液チャンバ４１とが吸気管３７により連通しており、前記吸気管３７の中には逆止弁３９が設置され、前記エアポンプ２９が起動する時に、気体が前記吸気管３７により前記押圧ブロック４０の後側に入って前記押圧ブロック４０を前方に突き上げ、それにより前記洗浄液チャンバ４１の中にある洗浄液を押し出し、洗浄液にノズル４３を通させ前記払拭部３２に噴射させ、それによりより良い洗浄効果を達成する。
【００１７】
防塵モニターの実現方法は、以下のステップを含み：
【００１８】
モニターの使用が終了した後に、エアポンプ２９が起動しシリンダ２８により駆動板２７を前方に運動連動させ、気体が吸気管３７により押圧ブロック４０の後側に入って押圧ブロック４０を前方に突き上げ、それにより洗浄液チャンバ４１の中にある洗浄液を押し出し、洗浄液にノズル４３を通させ払拭部３２に噴射させ、駆動板２７が上突出ブロック１４と中間板１６とを前方にプッシュし、中間板１６が閉塞板３３を前方にプッシュし、それにより主チャンバ１１と副チャンバ１９とを起動させ、上突出ブロック１４が固定ロッド１３と、塵埃除去板１２により払拭部３２を前方に運動連動させ、払拭部３２の後側端面がスクリーン１８平面よりやや低い場合に、エアポンプ２９が停止し、親ねじ２４が回転しガイドブロック２５を平行移動連動させ、払拭部３２が弾性材料であるため、払拭部３２がスクリーン１８の位置に到達する時にスクリーン１８と十分に密着して塵埃を除去でき、塵埃除去板１２が運動中に防塵布３６を同時に引く。
【００１９】
払拭塵埃除去が終了した後に、塵埃除去板１２が副チャンバ１９の位置までに運動し、エアポンプ２９がエア抜きを行い、シリンダ２８がリセットされて塵埃除去板１２が副チャンバ１９の中に収納され、閉塞板３３がリセットされ、このとき、防塵布３６がスクリーン１８を閉塞して塵埃が溜まるのを防止する。
【００２０】
洗浄液チャンバ４１の中にある洗浄液が足りないとき、貯液タンク４４と吸気管３７とを離脱させて取り外し、液充填弁４２により添加し、押圧ブロック４０がバネ３８の作用によりリセットする。
【００２１】
以上より、本発明の構造が簡単で、操作が便利で、モニターの使用が終了した後に、本発明は自動的にスクリーンを拭うことができ、スクリーンの上のほこりを除去し、払拭が終了した後に、一層の防塵布を利用してスクリーンを密封して、防塵モニターが使わない時に塵埃が積もって画像の表示が歪むことを防止し、作業効率を大幅に向上させる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020181175.tif 000003
【図２】
2020181175.tif 000004
【図３】
2020181175.tif 000005
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
モニターと前記モニターに設置されるスクリーンとを含み、前記モニターの下側には支持枠が設置され、前記モニターの中には前方に開口している主チャンバが設置され、前記主チャンバの頂壁の中には上スライド溝が設置され、前記上スライド溝の中には上突出ブロックがスライドできるように設置され、前記主チャンバの底壁には下スライド溝が設置され、前記下スライド溝の中にはガイドブロックが設置され、前記ガイドブロックの上端面にはガイド溝が設置され、前記主チャンバの底壁には前記ガイド溝と連通している連通溝が設置され、前記ガイド溝の中には下突出ブロックがスライドできるように設置され、前記下突出ブロックと前記ガイド溝の左端面との間がリセットバネにより連結され、前記下スライド溝の左右壁の間には親ねじが回転できるように設置され、前記親ねじが前記ガイドブロックを貫通しており、且つ前記ガイドブロックとねじ山により連結され、前記上突出ブロックの下端面と前記下突出ブロックの上端面との間には固定ロッドが固定的に設置され、前記固定ロッドには塵埃除去板が固定的に設置され、前記塵埃除去板の後端面には払拭部が固定的に設置され、前記払拭部が弾性材料であり、前記上スライド溝の中には前記上突出ブロックの後端面と当接している駆動板がスライドできるように設置され、モニターの使用が終了した後に、前記駆動板が前方に運動し前記上突出ブロックと、前記固定ロッドにより前記塵埃除去板を前に前記主チャンバの前端の開口の外部に突出連動させ、且つ前記払拭部の後側端面を前記スクリーンの前端面の後側に位置させ、前記親ねじが回転し前記ガイドブロックを平行移動連動させ、前記払拭部が弾性材料であるため、前記払拭部が前記スクリーンの位置に到達する時に前記スクリーンと十分に密着して塵埃を除去できることを特徴とする防塵モニター。
【請求項２】
前記モニターの中には副チャンバが設置され、前記塵埃除去板が前記副チャンバの中までに運動でき、前記主チャンバの上下壁の間には回転軸が回転できるように設置され、前記回転軸には防塵布が周設され、前記防塵布の片端が前記塵埃除去板の左端面に固定的に連結され、前記回転軸と前記主チャンバの頂壁の間にはねじりバネが連結され、前記塵埃除去板が前記副チャンバの中まで運動する時に前記防塵布を引きスクリーンに対し閉鎖防塵を行うことを特徴とする請求項１に記載の防塵モニター。
【請求項３】
前記主チャンバの後壁にはエアポンプが固定的に設置され、前記エアポンプの前端にはシリンダが設置され、前記シリンダと前記駆動板の後端面とが連結され、前記下スライド溝の右壁の中にはモーターが設置され、前記モーターと前記親ねじとが伝動できるように連結され、前記モニターの中には上下に対称している収納チャンバが設置され、前記収納チャンバの中には中間板がスライドできるように設置され、上側にある前記中間板の下端面と前記駆動板とが連結され、上下にある前記中間板の前端面には閉塞板が左右に対称的に固定的に連結され、左側にある前記閉塞板が前記主チャンバを閉塞しており、右側にある前記閉塞板が前記副チャンバを閉塞していることを特徴とする請求項２に記載の防塵モニター。
【請求項４】
前記主チャンバの後壁には貯液タンクが設置され、前記貯液タンクの中には洗浄液チャンバが設置され、前記洗浄液チャンバの内壁には液充填弁が設置され、前記貯液タンクの外表面には前記洗浄液チャンバと連通しているノズルが固定的に設置され、前記洗浄液チャンバの中には押圧ブロックがスライドできるように設置され、前記押圧ブロックの後端面と前記洗浄液チャンバの後壁との間にはバネが連結され、前記洗浄液チャンバの中には洗浄液が内蔵され、前記エアポンプと前記洗浄液チャンバとが吸気管により連通しており、前記吸気管の中には逆止弁が設置され、前記エアポンプが起動する時に、気体が前記吸気管により前記押圧ブロックの後側に入って前記押圧ブロックを前方に突き上げ、それにより前記洗浄液チャンバの中にある洗浄液を押し出し、洗浄液にノズルを通させ前記払拭部に噴射させ、それによりより良い洗浄効果を達成することを特徴とする請求項３に記載の防塵モニター。